(57)【要約】  本発明は、商品、有利には食品の包装のための２種材料箱形パッケージ（１）に関する。このパッケージ（１）は、２つの包装材部分（５、６）から構成される外側包装材（２）を備え、前記２つの包装材部分（５、６）は、前記商品の収容を意図して、両者で閉鎖ストレージ容積（１’）を規定するための閉位置、および前記収容容積（１’）へのアクセスを可能にする開位置の間でのそれらの移動のためのヒンジ手段（１０）により接合されており、前記２つの包装材部分（５、６）が同一のワンピース密封プラスチックフィルム（３）で内面を被覆されている。本発明によれば、前記２つの包装材部分（５、６）は、２つの別々の部分から構成されており、前記密封プラスチックフィルム（３）は、前記ヒンジ手段を形成するため、前記２つの別々の包装材部分（５、６）の間に延びる挿入ストリップ（１０）を有している。【選択図】図１
2015521980.tif 000002
【特許請求の範囲】
【請求項１】
商品の包装のための２種材料箱形パッケージであって、該パッケージ（１）は、２つの包装材部分（５、６）から構成される外側包装材（２）を含み、前記２つの包装材部分（５、６）は、前記商品の収容を意図して、閉鎖ストレージ容積（１’）を規定するため、解除可能な固定手段（１２）により保持される閉位置、および前記ストレージ容積（１’）へのアクセスを可能にする開位置の２つの位置の間でのそれらの移動のためにヒンジ手段（１０）により連結されており、前記２つの包装材部分（５、６）が同一のワンピース密封プラスチックフィルム（３）で内面を被覆されている、２種材料箱形パッケージにおいて、
前記２つの包装材部分（５、６）は、２つの別々の構成要素からなり、前記密封プラスチックフィルム（３）は、前記２つの別々の包装材部分（５、６）の間に延び、前記ヒンジ手段を形成する挿入ストラップ（１０）を含むことを特徴とする２種材料箱形パッケージ。
【請求項２】
前記外側包装材（２）は、前記閉位置において、側壁（２２）によって連結された、対向する２つの底壁（２１）を有し、前記２つの包装材部分（５、６）は、それぞれ前記底壁（２１）の１つを形成するパネル（５１、６１）を含み、前記包装材部分（５、６）の少なくとも一方は、前記側壁（２２）の高さ部分の少なくとも一部を形成する側壁（５２、６２）を含み、該側壁（５２、６２）はその底パネル（５１、６１）から延びていることを特徴とする請求項１に記載の２種材料箱形パッケージ。
【請求項３】
前記２つの包装材部分（５、６）は、互いに同一の、もしくは少なくともほぼ同一の形状を有し、それぞれ側壁（５２、６２）に延びる底パネル（５１、６１）を備えていることを特徴とする請求項２に記載の２種材料箱形パッケージ。
【請求項４】
各包装材部分（５、６）は、平面（Ｐ、Ｐ’）内に延びる周囲境界部（５３、６３）により規定されており、前記密封プラスチックフィルム（３）は、横延長部を形成する２つのはみ出し横ストリップ（８３、９３）を含み、該はみ出し横ストリップ（８３、９３）は、それぞれ関連づけられた包装材部分（５、６）の周囲境界部（５３、６３）を越えて延びており、また関連づけられた包装材部分の周囲境界部の平面（Ｐ、Ｐ’）内に、または少なくとも実質的に平面（Ｐ、Ｐ’）内に延びており、前記２つのはみ出し横ストリップ（８３、９３）は、解除可能な固定手段を形成する脱離可能な接合手段（１２）によって緊密に組み立てるため、前記包装材部分（５、６）が前記閉位置に移動している間、互いに重なり合っていることを特徴とする請求項１〜３のいずれかに記載の２種材料箱形パッケージ。
【請求項５】
前記ヒンジ手段を形成する密封プラスチックフィルム（３）の挿入ストリップ１０は、２つの包装材部分（５、６）の間の回転軸（１０’）を規定する縦リッジ（１０５）を含み、該縦リッジ（１０５）は、２つの包装材部分（５、６）の間に延び、前記密封プラスチックフィルム（３）の上面側の湾曲断面開口を有していることを特徴とする請求項１〜４のいずれかに記載の２種材料箱形パッケージ。
【請求項６】
前記ヒンジ手段を形成する密封プラスチックフィルム（３）の挿入ストリップ（１０）は、２つの包装材部分（５、６）の間の接合軸（１０’）を規定する折り線（１０２）を含み、該折り線（１０２）は、２つの包装材部分（５、６）の間に延び、前記挿入ストリップを、前記閉位置において互いに重なり合うように意図された２つの縦セクション（１０３）に分割することを特徴とする請求項１〜４のいずれかに記載の２種材料箱形パッケージ。
【請求項７】
包装材部分（５、６）は、接着手段（１１）を介して密封プラスチックフィルム（３）と組み立てられることを特徴とする請求項１〜６のいずれかに記載の２種材料箱形パッケージ。
【請求項８】
包装材部分（５、６）は、それぞれ木質繊維、例えばボール紙から作られた構成要素からなっていることを特徴とする請求項１〜７のいずれかに記載の２種材料箱形パッケージ。
【請求項９】
請求項１〜８のいずれかに記載の２種材料箱形パッケージを得るための方法において、その方法は、少なくとも以下の一連のステップ、
２つの別々の包装材部分（５、６）、およびワンピース密封プラスチックフィルム（３）を提供するステップ、および
２つの別々の包装材部分（５、６）およびワンピース密封プラスチックフィルム（３）を組み立てるステップであって、前記密封プラスチックフィルム（３）は、ヒンジ手段を形成する、前記包装材部分（５、６）の間の挿入ストリップ（１０）を作るように付け加えられるステップ
を備えていることを特徴とする方法。
【請求項１０】
前記密封プラスチックフィルム（３）は、接着手段（１１）と組み合わせて、熱成形工程により２つの包装材部分（５、６）上に施されることを特徴とする請求項９に記載の方法。
【発明の詳細な説明】
【技術分野】
【０００１】
本発明は、商品、特に食品を包装するのに適した、２種材料箱形パッケージに関する。
【背景技術】
【０００２】
２種材料パッケージは、密封性を確保することを意図した密封プラスチックフィルムで内部が覆われた、例えば、ボール紙などの比較的硬い素材で作られた外側包装材でできていることが、非常に一般的である。
【０００３】
特定の食品、例えば、ハンバーガーや特定のチーズを包装するために、外側包装材は、有利には、底と蓋を形成し、ヒンジ手段で連結される、２つの包装材部分でできており、これらの包装材部分は、互いに対して、以下の２つの位置間で移動可能である：
−  解除可能な固定手段で留められ、該食品を包むことを意図した、閉じた包装容積を規定する閉位置、および
−  この包装容積へのアクセスを可能にする開位置。
【０００４】
そのため、この外側包装材は、ワンピース構成要素から成り、この２つの包装材部分は、ヒンジ手段を形成するワンピース折り畳み線で連結される。
ワンピース折り畳み線を備えるこの構造は、特定の形状の包装に適している。
【０００５】
しかし、小さいパッケージ、あるいは、特殊な形状のパッケージに対しては、この構造は、完全に満足のいくものではなく、とくに、折り畳み線によって連結される２つの包装材部分を備える外側包装材の組立は、実際には、実行するのに、比較的複雑である。
【発明の概要】
【発明が解決しようとする課題】
【０００６】
本発明の目的は、様々な形で、広範囲のサイズ、特に小さいサイズで簡単に製造できる、新しい２種材料箱形パッケージ構造を提供することにより、これらの欠点を克服することである。
【課題を解決するための手段】
【０００７】
そのため、本発明による２種材料パッケージにおいて、２つの包装材部分は、２つの別々の構成要素で構成され、ワンピース密封プラスチックフィルムは、該別々の構成要素間に延びて、上述のヒンジ手段を形成する挿入ストリップの材料を含む。
【０００８】
外側包装材を２つの部分に分けることは、通常の組み付け装置を用いての、２種材料パッケージの製造、特に、可変形状および小さいサイズの２種材料パッケージの製造を可能にし、よって、内側のプラスチックフィルムが、２つの包装材部分を組み立てるためのヒンジを形成するのに使われる。
【０００９】
本発明の他の有利な特徴は、個々にあるいは組み合わせて考慮され、下記に記載される：
−  閉位置では、外側包装材は、側壁で連結される２つの対向する底壁を有し、２つの包装材部分は、それぞれ、該底壁の１つを形成するパネルを含み、該包装材部分の少なくとも１つがその底パネルから延びて、側壁の高さの少なくとも一部を形成する側壁を含み、この場合、２つの包装材部分は、互いに対して同形状あるいは少なくともほぼ同形状であることが好ましく、それぞれ、側壁に延びる底パネルを備え、
−  各包装材部分は、平面内に延びる境界部で区切られ、一方では、密封プラスチックフィルムは、横延長部を形成する２つのはみ出し横ストリップを含み、この横ストリップは、それぞれ包装材部分の境界部を超えて延び、また、それぞれ、関連づけられた包装材部分の平面内に、あるいは少なくとも実質的に平面内に延びており、２つのはみ出し横ストリップは、脱離可能な接合手段によって緊密に組み立てるため、包装材部分が閉位置へ移動中に、互いに重ね合わせられ、
−  前記ヒンジ手段を形成する密封プラスチックフィルムの挿入ストリップは、２つの包装材部分間に回転軸を規定する縦リッジを含み、この縦リッジは、２つの包装材部分間に延び、前記密封プラスチックフィルムの上面側に開く曲断面を有し、この場合、２つの包装材部分のはみ出し横ストリップは、ヒンジ手段を形成するこの挿入ストリップを延ばし、好ましくは、前記はみ出し横ストリップのみが、脱離可能で緊密な接合手段により互いに取り付けられ、
−  前記ヒンジ手段を形成する密封プラスチックフィルムの挿入ストリップは、２つの包装材部分間に接合軸を規定する折り線を含み、この折り線は、２つの包装材部分間に延び、前記挿入ストリップを、閉位置で互いに重ね合わせられるように意図された２つの縦セクションに分けられ、この場合、２つの包装材部分のはみ出し横ストリップがヒンジ手段を形成する挿入ストリップを延ばし、前記はみ出し横ストリップおよび挿入ストリップの２つの縦セクションは、脱離可能で緊密な接合手段により互いに取り付けられ、
−  包装材部分は、接着手段を介して密封プラスチックフィルムと組み合わせられ、
−  包装材部分はそれぞれ、木質繊維で作られた構成要素、例えば、ボール紙でできている。
【００１０】
本発明はまた、上記で定義したように、少なくとも以下の一連のステップを含む、２種材料箱形パッケージを得る方法に関わる：
−  ２つの別々の包装材部分、及びワンピース密封プラスチックフィルムを提供するステップ、次いで、
−  ２つの包装材部分とワンピース密封プラスチックフィルムを組み立てるステップであって、該密封プラスチックフィルムが、包装材部分間に、ヒンジ手段を形成する挿入ストリップを作るように付け加えられるステップ。
【００１１】
この場合、密封プラスチックフィルムは、有利には、接着手段と組み合わせて、熱成形工程により、２つの包装材部分上に取り付けられる。
【００１２】
本発明は、添付の図面に関連付けて、以下の特定の実施形態の記載により、何等制限されることなく、さらに説明される。
【図面の簡単な説明】
【００１３】
【図１】図１は、閉位置における本発明によるパッケージを、縦断面に従って、極めて模式的に示す。
【図２】図２は、上から見た、閉位置における図１のパッケージを示す。
【図３】および
【図４】図３および図４は、それぞれ、２つの接合された包装材部分上への密封プラスチックフィルムの熱成形工程の前後の、図１および図２によるパッケージを得る方法を示す。
【図５】図５は、開位置におけるパッケージ示す図４の平面図である。
【図６】図６は、ヒンジ手段を形成する密封プラスチックフィルムの挿入ストリップの特別な実施形態を示す。
【発明を実施するための形態】
【００１４】
図１および２に閉位置で示された箱形パッケージ１は、商品Ｄ（図１に極めて模式的に示した）の収容を意図した包装またはストレージ容積１’を規定する。
このパッケージ１は、ハンバーガー、サンドイッチまたはチーズの包装に特に適しているが、他のいかなる望ましい食品を収容することが可能である。
この２種材料タイプのパッケージ１は、ワンピース密封プラスチックフィルム３で内面が被覆されている外側包装材２を備えている。
このパッケージ１の構造は、図１および２に関連して後述される。
【００１５】
図１は、包装材部分、関連するプラスチックフィルムおよびそれらの接合手段の厚さの間の相対寸法を考慮せずに、パッケージの構造を示すために、パッケージを模式的に描いたものであることが理解されよう。
外側包装材２は、別々の構成要素によりなる２つの包装材部分からなり、該２つの包装材部分は、第１構成要素よりなる上方包装材部分５、および第２構成要素よりなる下方包装材部分６である。
【００１６】
２つの包装材部分５および６は、「別々」であり、それらは、ワンピース構成要素を成さない。それらは、互いに、ワンピース構造要素により、例えば、ワンピース折り畳み線を介して直接は接合されていない。
したがって、これらの２つの包装材部分５、６は、それぞれ適切に切断され、うねたてされ、溝切りされたボール紙ブランク、例えばコンパクトまたは波形ボール紙（段ボール紙）、有利にはリサイクル可能なボール紙タイプを組み立てることにより製造され、それらは、また、製紙ペーストを成形することによって得られる。
【００１７】
代替的には、これらの包装材部分５、６は、多孔質プラスチック材料で製造され得、２種の材料の組み合わせ、例えばボール紙／アンロール木材の混合体によって製造されていてもよい。
一般的に、包装材部分５および６を構成する材料の性質および厚さは、パッケージ１のサイズや、その目的にしたがって厳格に選択される。
【００１８】
ここでは、２つの包装材部分５および６は、互いに同一の形状を有している。
それらは、それぞれ側壁５２、６２に延びる底パネル５１、６１からなるほぼトレーの形状をしている。
ここで、各包装材部分５、６は、ほぼ角錐台形状を有するが、他の多角形形状であってもよい（例えば、八角形）。
【００１９】
これらの２つの包装材部分５、６の側壁５２、６２は、それぞれそれらの各底パネル５１、６１から離れて配置された自由境界部５３、６３で終わる。
各包装材部分５、６の自由境界部５３、６３は、それぞれ平面Ｐ、Ｐ’内に、または少なくとも実質的に平面Ｐ、Ｐ’内に延びる。
【００２０】
ワンピース密封プラスチックフィルム３はまた、適宜な材料、好ましくは、ポリプロピレン（場合により、ニーズに応じて、他の材料と合成される）で作られる。
一般的に、ワンピースプラスチックフィルム３の性質および厚さは、パッケージ１のサイズや、その目的にしたがって厳格に選択される。
この密封プラスチックフィルム３は、２つの包装材部分５および６を被覆する連続ワンピース構成要素である。
【００２１】
この密封プラスチックフィルム３は、図１に見られるように、
−  それぞれが２つの包装材部分５および６の内面を被覆する２枚のフィルム部分８および９、ならびに
−  ２枚のフィルム部分８、９を接合し、２つの包装材部分５、６の間に延び、それらの互いに対しての手動での枢動のためのヒンジ手段を形成する挿入ストリップ１０
の異なる部分に分割されていることが考え得る。
【００２２】
包装材部分５または６の１つと内面で一体となる各フィルム部分８または９は、また、側壁８２、９２（関連する包装材部分５、６の側壁５２、６２の内層を形成する）に連結された底パネル８１、９１（包装材部分５、６の底パネル５１、６１の内層を形成する）からなる。
これらのフィルム部分８および９は、組み立てられ、そして１つまたは幾つかの接着領域１１、たとえば接着または熱溶着領域によりそれぞれの包装材部分５、６に保持される。
【００２３】
接着領域１１は、好ましくは、プラスチックフィルム３に対しての包装材部分５、６の後の分離を容易にするように分布されており、これはそれらの後のリサイクルを考慮に入れている。
これらの接着領域１１は、たとえば隣接する側壁５２／８２および６２／９２に配置されている。
これらの接着領域１１は、有利には、対向する側壁５２／８２および６２／９２の上方境界部５３、６３の側部上に配置された、連続または非連続の線部またはストリップである。
【００２４】
オプション（または可能な代替）としては、包装材部分５、６およびプラスチックフィルム３の関連する部分８、９は、対向する底パネル５１／８１および６１／９１（好ましくは、これらの底パネルの中央部分の側部上の）に配置された１つまたは幾つかの接着領域によって互いに対し接合され得る。
【００２５】
各フィルム部分８、９は、また、横延長部（ここで、パッケージ１の閉鎖において引き起こされる）を形成するはみ出し横ストリップ８３、９３を含む。
各はみ出し横ストリップ８３、９３は、関連づけられた包装材部分５、６の周囲境界部５３、６３の第１部分５３１、６３１を被覆し、そしてそれらを越えて延びている（この第１部分５３１、６３１は、幾つかの上縁（ここでは、３つの上縁）からなる）。
各はみ出し横ストリップ８３、９３は、関連づけられた包装材部分５、６の平面Ｐ、Ｐ’内に、または少なくとも実質的に平面Ｐ、Ｐ’内に延びている。
【００２６】
ヒンジ手段を形成する挿入ストリップ１０は、それ自体を屈曲するという事態により、２つに畳まれる事態に適合して、関連づけられた２つの包装材部分５、６の間の回転軸１０’を規定する。
この回転軸１０’は、２つの包装材部分５、６の間の１種の折り線である。
この点において、挿入ストリップ１０は、ほぼ矩形形状を有し、その縦境界部１０１は、それぞれフィルム部分８、９の一方に連結され、そして包装材部分５、６の一方の周囲境界部５３、６３の第２部分５３２、６３２を覆っている。
【００２７】
ここで、包装材部分５、６の第２部分５３２、６３２は、開位置において、互いに対して平行で近接した、並置された２つの縁部である。
図５に模式的に示したように、この挿入ストリップ１０は、２つの包装材部分５、６の間の回転軸１０’を規定する折り線１０２を含んでいてもよい。
【００２８】
この折り線１０２は、２つの包装材部分５、６の間に延び、挿入ストリップ１０を、それぞれフィルム部分８、９の１つに接合される２つの縦セクション１０３に分割する。
したがって、回転／枢動軸１０’は、有利には、２つの縦境界部１０１と平行で、これらに対して同一距離で挿入ストリップ１０の対称軸に沿って延びている。
その端部１０４において、この挿入ストリップ１０は、また、包装材部分５、６の上方境界部に延びるはみ出し横ストリップ８３、９３に接合されている（特に、図５において理解できるように）。
【００２９】
この実施形態は、上方部分と下方部分との解除可能な固定の上で完全な厚さを得ることができるようなはみ出しストリップにおける連続性を形成することに関係がある。
【００３０】
したがって、互いに関連づけられた包装材部分５、６およびフィルム部分８、９は、回転軸１０’の周りに、
−  閉鎖ストレージ容積１’を規定するため、解除可能な固定手段（詳細は後述する）により保持される（図１および２）閉位置、および
−  このストレージ容積１’へのアクセスを可能にする開位置（図４および５）
の間で手動での枢動が可能である。
【００３１】
開位置において、２つの包装材部分５、６は、密封プラスチックフィルム３の挿入ストリップ１０のみによって互いに接合されている。
そして、食品は、包装材部分５、６の一方のフィルム部分８、９上に載置され得る。
閉位置とするため、次いで、２つの包装材部分５、６は、回転軸１０’に沿う挿入ストリップ１０の折り畳みによって、互いに対して動かされる。
【００３２】
次いで、これらの包装材部分５、６は、底パネル５１、６１が互いに対向し、そして離れているように、互いに対し対向した位置に来る。
それらの側壁５２、６２の周囲境界部５３、６３は、並行位置になり、ここで、それらは、互いに重なり合ったはみ出し横ストリップ８３、９３により、また、挿入ストリップ１０を外側に折り曲げることのみにより、分離される。
【００３３】
したがって、２つの包装材部分５、６の平面Ｐ、Ｐ’は、互いに平行に延び、そして、有利には、互いに接合され、または少なくともほぼ接合されている。
したがって、包装材部分５、６は、
−  それぞれ包装材部分５、６の一方の底パネル５１、６１により構成された２つの底壁２１、および
−  ２つの包装材部分５、６の接合された側壁５２、６２により構成された側壁２２（包装材部分５、６の側壁５２、６２は外側包装材２の高さの一部を形成する）
からなるパッケージの外側包装材２を形成する。
【００３４】
閉位置を保持するため、２つの包装材部分５、６の重ね合わされたはみ出し横ストリップ８３、９３は、脱離可能で緊密な接合手段１２により、たとえば熱溶着または熱活性接着剤を介することによって得られる連続接合ストリップにより互いに組み合わされる。
接合ストリップ１２は、有利には、開位置に動かすため、脆弱領域（有利には、ヒンジ手段を形成する挿入ストリップ１０に対向する角部として形成された）を含む。
【００３５】
ここで、接合ストリップ１２は、ストレージ容積１’の完全な密封を保証するため、挿入ストリップ１０に適用されている。したがって、挿入ストリップ１０の２つの縦セクション１０３は、脱離可能で緊密な接合手段１２により、重ね合わされ、組み立てられる。
ここで、接合ストリップ１２は、外側包装材２の全周囲に亘って伸びる、ここではほぼ矩形形状の閉じた連続ストリップ、またはループである。
【００３６】
商品に応じるため、次いで、接合ストリップ１２を解除し、挿入ストリップ１０における包装材部分５、６の枢動により、パッケージ１を開位置に戻せるように、２つのはみ出し横ストリップ８３、９３（有利には、脆弱領域において）におけるけん引を働かせることが正に必要となる。
代替として、これらの接合手段１２は、２つの包装材部分５、６を組み立て、そして、包装材部分が閉位置に動かされたとき、相互に連結するように意図された補助的な構造により構成されていてもよい。
【００３７】
そのようなパッケージ１を得る方法は、図３および４に関連して以下に説明される。
この方法は、パッケージ１の別々の構成要素、すなわち、
−  例えば、予め組み立てられたボール紙ブランクによりそれぞれ構成された２つの別々の包装材部分５、６、および
−  ワンピース密封プラスチックフィルム３
を供給することにより始められる。
【００３８】
２つの包装材部分５、６は、それらの間に、それらの各周囲境界部５３、６３の側部の１つの間に水平間隔Ｅを形成するようにして互いに対して接合される。この水平間隔Ｅは、パッケージのヒンジを形成するため、密封プラスチックフィルム３の挿入ストリップ１０の幅を規定することを意図している。
これらの包装材部分５、６は、その目的のため、それぞれが前記包装材部分５、６の一つを受け入れることを意図した２つの場所を含む熱成形型において付与される。
【００３９】
密封プラスチックフィルム３の配置の前に、包装材部分５、６は、有利には、ここでは前記接着領域１１に沿ってそれらの側壁５２、６２の内側において接合される。
包装材部分５、６とプラスチックフィルム３の接合は、このフィルムの特性によりなされ、該フィルムは、熱反応性接着面を含むことができる。
【００４０】
続いて、ワンピース密封プラスチックフィルム３は、熱成形工程を通じてこれら２つの包装材部分５、６上に付加され、これにより関連づけられた包装材部分５、６を一体にする２つのフィルム部分８、９を直接形成する。
プラスチックフィルム３のこの配置は、また、図４および５から理解できるように、次のストリップ、
−  周囲境界部５３、６３の第２部分５３２、６３２に沿って延びる２つの包装材部分５、６の間の挿入ストリップ１０、および
−  包装材部分５、６の各々において第１部分５３１、６３１に沿うはみ出し横ストリップ８３、９３
を得ることができる。
したがって、この方法は、最初に開位置にある本発明によるパッケージ１を得ることを可能とする。
【００４１】
密封プラスチックフィルム３の挿入ストリップ１０の他の特別な実施形態が、図６に描かれている。
この場合においては、挿入ストリップ１０は、２つの包装材部分５、６の間に延びる縦リッジ１０５を含む。この挿入ストリップ１０の端部１０４は、また、横延長部を形成するはみ出し横ストリップ５３、６３に接合されている。
【００４２】
このリッジ１０５は、密封プラスチックフィルム３（関連づけられた包装材部分５、６の反対において延びている）の上面側の湾曲断面（例えば、円弧による）開口を有している。
この実施形態は、回転軸１０’を生じるように適合された比較的狭い挿入ストリップ（例えば、１〜５ｍｍ程度の幅）を得ることを可能にする。
この実施の形態は、追求された効果のため、最小のフィルムを用いることについて興味を持たせる。
【００４３】
この場合、パッケージ１の密封閉鎖のため、接合ストリップ１２は、重ね合わされたはみ出し横ストリップ８３、９３において形成され、挿入ストリップ１０の横方向端部１０４で終わる。
したがって、接合ストリップ１２は、外側包装材２の周囲の一部に亘って延びる開放連続ストリップ（ここでは、ほぼＵ字形）である。
【００４４】
他の実施形態によれば、図示していないが、パッケージの包装材部分の１つは、トレーのような他の包装材部分に対して回転する一種の可動平坦蓋を形成するため、側壁（符号５２または６２で示した）を持たない、底パネル（符号５１または６１で示した）のみからなり、図１〜６に関連して上述した実施形態とは異なる。
ここで再び、これら２つの包装材部分は、重なり合ったはみ出し横ストリップの接合により、閉位置に一緒に保持されうる。
【符号の説明】
【００４５】
１  パッケージ
１’ストレージ容積  
２  外側包装材
３  ワンピース密封プラスチックフィルム
５、６  包装材部分
８、９  フィルム部分
１０  挿入ストリップ
１０’回転軸 
１１  接着領域
１２  接合ストリップ
２１  底壁
２２  側壁
５１、６１、８１、９１  底パネル
５２、６２、８２、９２  側壁
５３、６３  境界部
８３、９３  はみ出し横ストリップ
【図１】
2015521980.tif 000003
【図２】
2015521980.tif 000004
【図３】
2015521980.tif 000005
【図４】
2015521980.tif 000006
【図５】
2015521980.tif 000007
【図６】
2015521980.tif 000008
【国際調査報告】
2015521980.tif 000009
2015521980.tif 000010
2015521980.tif 000011
2015521980.tif 000012